(57)【特許請求の範囲】
【請求項１】
パイロト信号およびトラフィック信号を有する符号分割多重接続（ＣＤＭＡ）通信システムにおいてチャンネル状態を評価する方法であって、
前記パイロット信号からパイロット信号チャンネル評価値を生成するステップと；
前記トラフィック信号を再構成するステップと；
前記再構成されたトラフィック信号からトラフィック準拠チャンネル基準信号を生成するステップと；
前記トラフィック準拠チャンネル基準信号から予測チャンネル評価値を生成するステップと；
前記予測チャンネル評価値および前記パイロット信号チャンネル評価値を用いて前記トラフィック信号を復調するステップと；
を備え、
前記予測チャンネル評価値を生成するステップは、さらに、
前記パイロット信号を遅延するステップと；
前記遅延されたパイロット信号を前記トラフィック準拠チャンネル基準信号と結合するステップと；
前記結合された遅延パイロット信号およびトラフィック準拠チャンネル基準信号から前記予測チャンネル評価値を生成するステップと；
を備えた方法。
【請求項２】
前記トラフィック信号を再構成するステップは、
前記トラフィック信号から再生されたデータ記号を符号化するステップと；
前記データ記号をインターリーブするステップと；
をさらに備えた、請求項１の方法。
【請求項３】
前記トラフィック信号を復調するステップは、前記予測チャンネル評価値の相対的な経過（ａｇｅ）に従って前記予測チャンネル評価値を重み付けするステップをさらに備えた、請求項１の方法。
【請求項４】
前記予測チャンネル評価値のチャンネル統計が所定の時間期間に亘り相関関係があるかどうかを判定するステップをさらに備えた、請求項１の方法。
【請求項５】
パイロト信号およびトラフィック信号を有する符号分割多重接続（ＣＤＭＡ）通信システムにおいてチャンネル状態を評価する装置であって、
前記パイロット信号からパイロット信号チャンネル評価値を生成するためのパイロット・フィルタと；
前記トラフィック信号を再構成するための回路と；
前記再構成されたトラフィック信号からトラフィック準拠チャンネル基準信号を生成するための回路と；
前記トラフィック準拠チャンネル基準信号から予測チャンネル評価値を生成するための予測チャンネル評価回路と；
前記予測チャンネル評価値および前記パイロット信号チャンネル評価値を用いて前記トラフィック信号を復調する復調器と；
を備え、
前記予測チャンネル評価回路は、さらに、
前記パイロット信号を遅延するための遅延素子と；
前記遅延されたパイロット信号を前記トラフィック準拠チャンネル基準信号と結合するための結合器と；
前記結合された遅延パイロット信号およびトラフィック準拠チャンネル基準信号から前記予測チャンネル評価値を生成するための予測チャンネル評価器と；
を備えた装置。
【請求項６】
前記トラフィック信号を再構成する回路は、
前記トラフィック信号から再生されたデータ記号を符号化するための符号器と；
前記データ記号をインターリーブするインターリーブ器と；
をさらに備えた、請求項５の装置。
【請求項７】
前記トラフィック信号を復調する復調器は、前記予測チャンネル評価値の相対的な経過（ａｇｅ）に従って前記予測チャンネル評価値を重み付けする制御器をさらに備えた、請求項５の装置。
【請求項８】
前記予測チャンネル評価値のチャンネル統計が所定の時間期間に亘り相関関係があるかどうかを判定する制御器をさらに備えた、請求項５の装置。
【請求項９】
パイロト信号およびトラフィック信号を有する符号分割多重接続（ＣＤＭＡ）通信システムにおいてチャンネル状態を評価する装置であって、
前記パイロット信号からパイロット信号チャンネル評価値を生成するための手段と；
前記トラフィック信号を再構成するための手段と；
前記再構成されたトラフィック信号からトラフィック準拠チャンネル基準信号を生成するための手段と；
前記トラフィック準拠チャンネル基準信号から予測チャンネル評価値を生成するための手段と；
前記予測チャンネル評価値および前記パイロット信号チャンネル評価値を用いて前記トラフィック信号を復調するための手段と；
を備え、
前記予測チャンネル評価値を生成するための手段は、さらに、
前記パイロット信号を遅延するための手段と；
前記遅延されたパイロット信号を前記トラフィック準拠チャンネル基準信号と結合するための手段と；
前記結合された遅延パイロット信号およびトラフィック準拠チャンネル基準信号から前記予測チャンネル評価値を生成するための手段と；
を備えた装置。
【請求項１０】
前記トラフィック信号を再構成するための手段は、
前記トラフィック信号から再生されたデータ記号を符号化するための手段と；
前記データ記号をインターリーブするための手段と；
をさらに備えた、請求項９の装置。
【請求項１１】
前記トラフィック信号を復調するための手段は、前記予測チャンネル評価値の相対的な経過（ａｇｅ）に従って前記予測チャンネル評価値を重み付けするための手段をさらに備えた、請求項９の装置。
【請求項１２】
前記予測チャンネル評価値のチャンネル統計が所定の時間期間に亘り相関関係があるかどうかを判定する手段をさらに備えた、請求項９の装置。
【発明の詳細な説明】
【０００１】
発明の背景
I．発明の分野
本発明は符号分割多重接続（ＣＤＭＡ）無線通信システムに関わる。特に、本発明は復号データを用いてＣＤＭＡ無線通信システムにおけるチャンネル状態を評価する新規および改良された方法および装置に関わる。
II．関連技術の説明
無線電話通信システムでは、多くのユーザーが無線チャンネル上で通信する。無線チャンネル上での通信は限られた周波数域において多数のユーザーを許容する多くの多重接続技術の一つである。これら多重接続技術には時分割多重接続（ＴＤＭＡ）、周波数多重接続（ＦＤＭＡ）、および符号分割多重接続（ＣＤＭＡ）がある。
【０００２】
ＣＤＭＡ技術は多くの利点がある。典型的なＣＤＭＡシステムは、譲請人に譲渡され、ここに引用文献として組み込まれた、“衛星または地上中継器を用いた拡散スペクトラム多重接続通信システム”と題する１９９０年２月１３日発行の米国特許第４，９０１，３０７号に記載されている。さらに、典型的なＣＤＭＡシステムは、譲請人に譲渡され、ここに引用文献として組み込まれた、“ＣＤＭＡセルラ電話システムにおいて信号波形を生成するシステムおよび方法”と題する１９９２年４月７日発行の米国特許第５，１０３，４５９号に記載されている。
【０００３】
上記の各特許においては、順方向（基地局から移動局へ）パイロット信号の使用が開示されている。ＥＩＡ／ＴＩＡ  ＩＳ−９５に記載されているような、代表的なＣＤＭＡ無線通信システムでは、パイロット信号は一定のゼロ記号（ｓｙｍｂｏｌ）を送信する“ビーコン（標識）”であり、トラフィック伝送信号に使用される同じ擬似乱数（ＰＮ）数列で拡散されている。パイロット信号は一般的に全てがゼロのウォルシュ数列で被包（ｃｏｖｅｒ）されている。初期システム取得では、移動局は基地局のパイロット信号の位置を探し出すためにＰＮオフセットを介して探索する。一旦移動局がパイロット信号を取得すると、整合復調のための安定な位相および大きさの基準を取り出すことができ、このような技術は、譲請人に譲渡され、ここに引用文献として組み込まれた、“拡散スペクトラム多重接続通信システムのための移動復調器アーキテクチャ”と題する１９９８年６月９日発行の米国特許第５，７６４，６８７号に記載されている。
【０００４】
ＣＤＭＡ基地局で使用される代表的な従来技術の順方向回線データ初期化装置（フォーマッタ）の機能ブロック図は図１に示される。データ源１０２は、例えば、譲請人に譲渡され、ここに引用文献として組み込まれた、“可変率ボコーダ”と題する１９９７年８月８日発行の米国特許第５，６５７，４２０号に記載されている、可変率ボコーダであってもよい。データ源１０２はディジタル・データのフレームの形でトラフィック・チャンネル情報を生成する。ＣＲＣおよび末尾（ｔａｉｌ）ビット発生器１０４は巡回冗長検査（ＣＲＣ）ビットおよび末尾ビットを計算し、データ源１０２により生成されたフレームに付加する。それからフレームは符号器１０６に供給され、この技術分野では既知のように畳込み符号化といった、順方向誤り訂正符号化をフレームに対して行う。符号化された記号は反復発生器１２０に供給され、反復発生器１２０は適当な変調記号率になるように再配列（ｒｅｏｒｄｅｒｅｄ）記号を繰り返す。それから反復記号はインターリーブ器１０８に供給され、所定のインターリーブ形式（フォーマット）に従って記号が再配列される。反復、インターリーブされた記号ストリームはトラフィック・ウォルシュ被包器（ｃｏｖｅｒｅｒ）１２２において一組の直交ウォルシュ数列の一つで被包され、増幅器（ｇａｉｎ  ｅｌｅｍｅｎｔ）１２４において利得調節が行われる。他の順方向回線データ初期化装置もこの技術分野において公知であることを理解すべきである。例えば、反復発生器１２０をインターリーブ器のあとに置いてもよいことは周知である。
【０００５】
パイロト信号発生器１２８はパイロット信号を生成し、それは全部が１であってもよい。それからパイロット信号は全部が１のウォルシュ数列で被包され、結合器１３６において増幅器１２４の出力と結合される。複合パイロット・チャンネルおよびトラフィック・チャンネル・データ（プラスまたはマイナス１であってもよい）はＰＮ発生器１４０により生成された複合ＰＮ符号を用いてＰＮ拡散器１３８において拡散され、高周波送信機１４２によりアンテナ１４４から送信される。同様な順方向回線データ初期化装置が、譲請人に譲渡され、ここに引用文献として組み込まれた、“高データ率ＣＤＭＡ無線通信システム”と題する継続中の米国特許出願第０８／８８６，６０４号に開示されている。
【０００６】
他のデータ初期化技術もまた存在する。例えば、ｃｄｍａ２０００逆回線においては、パイロット信号はパワー制御命令と時間−多重化される。さらに、Ｗ−ＣＤＭＡにおいては、順方向回線は他の情報と時間−多重化された専用パイロット信号を使用する。
【０００７】
図２はＣＤＭＡ移動局で使用される代表的な従来技術のデータ復調器の機能ブロック図を図示する。受信機２０２は図１の送信機１４２により送信された信号を受信し、ダウンコンバートする。受信機２０２のディジタル・ベースバンド出力は複合ＰＮ符号生成用ＰＮ発生器２０６を用いてＰＮ逆拡散器２０４において逆拡散され、それは図１のＰＮ発生器１４０により生成されたのと同じ複合ＰＮ符号である。
【０００８】
それから逆拡散信号は図１のトラフィック・チャンネル・ウォルシュ被包器１２２と同じウォルシュ数列を用いてトラフィック・チャンネル・ウォルシュ逆被包器２０８において逆被包される。それからウォルシュ逆被包チップはウォルシュ・チップ集計器（ｓｕｍｍｅｒ）２１０においてウォルシュ記号に累積され、トラフィック・チャンネル信号としてドット積回路２１２に供給される。いくつかの応用では、追加の遅延素子（図示せず）がパイロット・フィルタ２１６により生じた遅延を補償するためにウォルシュル・チップ集計器２１０とドット積回路２１２の間に挿入される。しかしながら、パイロット・フィルタ２１６が原因となるフィルタであれば、このような遅延素子（図示せず）は必要でない。ドット積回路は“共役積”回路としても知られている。それは次の等価式：＜ａ，ｂ＞＝ａ＊ｂ＝ａｂ＊の一つにより数学的に表される演算を実行する。
【０００９】
逆拡散信号は、それらがウォルシュ記号に累積され、パイロット・チャンネル記号としてパイロット・フィルタ２１６に供給されるウォルシュ・チップ集計器２１４にまた供給される。パイロット・チャンネルは図１のウォルシュ被包器１３４において全部が１のウォルシュ数列で被包されるから、空操作、対応する逆被包操作もまた操作においては空であることに留意する。しかしながら、一般的に、パイロット信号は被包するのに使用したと同じ或るウォルシュ数列を使用して逆被包してもよい。パイロット・フィルタ２１６はパイロット記号中の雑音を拒絶することができ、ドット積回路２１２のための位相および大きさの基準を提供する。
【００１０】
記号ごとに一度、ドット積回路２１２は、パイロット・フィルタ２１６により生成されたパイロット・チャンネル信号と位相を合わせてトラフィック・チャンネル信号の成分を計算する。譲請人に譲渡され、ここに引用文献として組み込まれた、“パイロット・キャリヤ・ドット積回路”と題する１９９６年４月９日発行の米国特許第５，５０６，８６５号に記載されているように、ドット積は整合復調に必要な受信信号の位相と大きさの両方を調整する。
【００１１】
ドット積回路２１２からの記号出力は、図１のインターリーブ器で使用されたと同じ形式（フォーマット）を用いて、逆インターリーブ器２１８において逆インターリーブされる。逆インターリーブされた信号は図１の符号器１０８で使用された誤り訂正符号に従って復号器２２０において復号される。得られた復号記号は、フレームが正しく復号されたことを保証するため品質指示器２２２によりフレーム毎に解析される。フレームが正しく復号されれば、復号フレームは次の処理に送られる。品質指示器２２２は一般にフレームのＣＲＣ部を検査するが、山本の測定基準といった他のフレーム品質指示を使用してもよい。
【００１２】
ＥＩＡ／ＴＩＡ  ＩＳ−９５に記載されているような、代表的なＣＤＭＡ無線通信システムでは、データ率により、パイロット信号エネルギはトラフィック信号エネルギより小さくてもよい。その上、最近提案された第三世代（３Ｇ）ＣＤＭＡ無線通信システムにおいては、パイロット信号は連続的に送信されず、むしろパワー制御信号と時間を分け合うようにしている。例えば、ｃｄｍａ２０００システムにおいては、逆方向回線パイロット信号が多重化パワー制御ビットと時間を分け合っている。Ｗ−ＣＤＭＡシステムでは、順方向回線専用パイロット・チャンネルが時間−多重化されている。パイロット信号が弱いか存在しないときは、整合復調動作は低下する。かくして、ＣＤＭＡ無線通信システムは整合チャンネル基準を提供するためまたはチャンネル統計の評価のために使用される追加信号エネルギから大いに利益を得ることになるであろう。
【００１３】
発明の概要
本発明はパイロット信号およびトラフィック信号を有するＣＤＭＡ無線通信システムにおけるチャンネル状態を評価する新規および改良された方法および装置である。この中で述べるように、術語“トラフィック”信号はパイロット信号以外のデータ搬送信号を参照するのに使用する。例えば、トラフィック信号は１またはそれ以上のユーザーにより生成された音声またはデータを伝送してもよいし、または通信システムにより生成されたオーバーヘッド情報を伝送してもよい。
【００１４】
装置はパイロット信号からパイロット信号チャンネル評価値を生成するためのパイロット・フィルタ、および復号された後トラフィック情報ビットを再構成するための回路を含む。元のトラフィック信号は再構成トラフィック情報により復調され、そしてこれ以降“トラフィック準拠チャンネル基準”として参照される。予測チャンネル評価回路はトラフィック準拠チャンネル基準および遅延パイロット信号から予測チャンネル評価値を生成する。復調器は予測チャンネル評価値およびパイロット準拠チャンネル基準を用いてトラフィック信号を復調する。パイロット信号からの信号エネルギの他にトラフィック信号からの信号エネルギを含む予測チャンネル評価値を用いることにより、チャンネル状態をもっと正確に評価することが可能になる。
【００１５】
予測チャンネル評価回路は再構成トラフィック信号のタイミングを合わせるためにパイロット信号を遅延させる遅延素子を含む。結合器は遅延パイロット信号をトラフィック準拠チャンネル基準信号と結合する。結合器は再構成トラフィック・チャンネル情報ビットに従って遅延パイロット信号に関してトラフィック準拠チャンネル基準信号を重み付けする。予測チャンネル評価器は複合遅延パイロット信号およびトラフィック準拠チャンネル基準信号から予測チャンネル評価値を生成する。
【００１６】
トラフィック準拠チャンネル基準信号の生成回路はデータ信号波形を生成するために使用される形式（フォーマット）に依存する。しかしながら、好ましい実施例においては、それはトラフィック信号から再生されたデータ信号を符号化する符号器と、データ信号をインターリーブするインターリーブ器を含む。その上、復調器は予測チャンネル評価値の相対的経過（ａｇｅ）に従って予測チャンネル評価値を重み付けするための制御器（コントローラ）を含めてもよい。
【００１７】
本発明の一応用においては、制御器はまたパイロット信号チャンネル評価値と予測チャンネル評価値のチャンネル統計が所定の時間期間に亘って相関しているかどうかを判定する。本発明はまたチャンネル状態を評価する方法を含む。この中に記述された方法はこの中に記述された装置により実行が可能である。
【００１８】
本発明の特徴、目的、および長所は、同様な参照符号が全体にわたり対応して同一である図面と関連して取られる以下に始まる詳細な記述からさらに明らかになるであろう。
【００１９】
好ましい実施例の詳細な説明
図３は本発明の装置の典型的な機能ブロック図である。図２と同じ番号の付いているブロックは図２を参照して記述されたものと同様の要素に対応し、類似の機能を実行する。しかしながら、図２から欠けているが、本発明の基礎となる重要な追加機能ブロックは図３に図示されている。
【００２０】
図２と同様に、品質指示器２２２の出力はその中に含まれる情報を再生するため次の処理のためのユーザー・データとして供給される。しかしながら、図２の復調器とは反対に、品質指示器２２２の入力は符号器３０２に供給され、符号器３０２は図１の符号器１０６と同様に順方向誤り訂正符号化技術を用いてデータ記号を再符号化する。符号器３０２からの再符号化記号はそれからインターリーブ器３０４に供給され、インターリーブ器３０４は図１のインターリーブ器１０８で使用されたインターリーブ器の形式（フォーマット）に従って記号を再インターリーブする。インターリーブ器３０４の出力は斯くして再符号化、再インターリーブされたデータ記号を含む。品質指示器２２２により判定されたようにそれらが正しく復号されたとすれば、インターリーブ器３０４から出力されたこれら再構成データ記号はウォルシュ・チップ集計器２１０により出力されるデータ記号の標識のよき評価を表す。
【００２１】
復調器３０５において、これら再符号化、再インターリーブされたトラフィック・チャンネル情報ビットは、遅延素子３０７により遅延され、ウォルシュ・チップ集計器２１０から出力されたトラフィック・チャンネル記号を復調するために使用される。遅延素子３０７により導入された遅延量はドット積回路２１２、逆インターリーブ器２１８，復号器２２０、符号器３０２、およびインターリーブ器３０４により導入された計算遅延量に合致するように設計される。復調器３０５から結合器３０８へ出力して得られた復調信号はこの中ではトラフィック準拠チャンネル基準として参照される。
【００２２】
ウォルシュ・チップ集計器２１４の出力は遅延素子３０６において遅延される。遅延素子３０６により導入される遅延量は、逆インターリーブ器２１８、復号器２２０、符号器３０２、インターリーブ器３０４、および復調器３０５により導入される計算遅延に合わせるように設計され、その結果遅延素子３０６から出力されたパイロット信号は復調器３０５から出力されたトラフィック準拠チャンネル基準出力と時間整列される。パイロット記号およびトラフィック・チャンネル基準は結合器３０８において結合され、予測チャンネル評価器３１０に供給される。結合器３０８は、ＣＲＣ検査器２２２といった、復号トラフィック・フレームの品質指示器に従って、遅延パイロット記号とトラフィック準拠チャンネル基準とを重み付けして結合する。もっと一般的な場合には、トラフィック記号の信号対雑音比評価といった、他の品質指示器も使用することができる。例えば、トラフィック・フレームが正しく復号されたならば（そして斯くしてビットが高信頼性で識別されれば）、トラフィック準拠チャンネル基準信号は、トラフィック・フレームが正しく復号されない場合よりはより高い重み付けが与えられる。
【００２３】
予測チャンネル評価器３１０は結合器３０８から出力された複合パイロットおよびトラフィック準拠チャンネル基準からチャンネル基準の大きさと位相の情報を再生する。好ましい実施例において、予測チャンネル評価器３１０はパイロット・フィルタ２１６に対して構造が似ており、単純な一次ＩＩＲフィルタまたはＦＩＲフィルタであってもよい。
【００２４】
パイロット・フィルタ２１６から出力されたパイロット記号と、予測チャンネル評価器３１０から出力された複合パイロットおよびトラフィック準拠チャンネル基準信号とは制御器３１２への入力として受信される。制御器３１２は、パイロット・フィルタ２１６から出力されたパイロット記号と、ドット積回路２１２により実行される位相調整および比例動作に用いるため、予測チャンネル評価器３１０からドット積回路２１２へ出力された複合パイロットおよびトラフィック準拠チャンネル基準信号とを結合する。
【００２５】
制御器３１２はパイロット・フィルタ２１６から出力されたパイロット記号を予測チャンネル評価器３１０から出力された複合パイロットおよびトラフィック準拠チャンネル基準信号と結合するとき、動的重み付け結合技術を使用することが好ましい。重み付け結合技術は予測チャンネル評価器３１０から出力された複合パイロットおよびトラフィック準拠チャンネル基準信号の相対的潜在期間または“経過（ａｇｅ）”を清算する。再構成データ記号を再符号化および再インターリーブするに必要な時間のために、チャンネル状態を評価する有用性は如何に速くチャンネル状態が変化するかにきびしく依存する。トラフィック・チャンネル・データ記号を再構成するために要する時間に較べてチャンネル状態が比較的ゆっくりと変化すれば、再構成データ記号エネルギはチャンネル状態が急速に変化する場合よりさらに有用である。両方の場合において、予測チャンネル評価器３１０から出力された予測チャンネル評価値は時間が経過するにつれて失効になる。
【００２６】
斯くして、好ましい実施例においては、制御器３１２は予測チャンネル評価器３１０から出力された複合パイロットおよびトラフィック準拠チャンネル基準信号をその経過（ａｇｅ）にしたがって重み付けする。例えば、連続フレームの先頭部分では、予測チャンネル評価値が丁度計算されると、制御器３１２は比較的高い重み付け因数でそれを重み付けする。しかしながら、フレーム内で時間が経過するにつれて、制御器３１２は連続してより小さくそしてより小さな重み付け因数で重み付けし、その結果ドット積回路２１２に供給されるチャンネル評価へのその寄与はだんだん少なくなる。予測チャンネル評価器３１０が新しい予測チャンネル評価値を計算するとき、制御器３１２は比較的高い重み付け因数でそれを再び重み付けする、等々。このように、制御器３１２は予測チャンネル評価値の“経過（ａｇｅ）”または潜在期間を清算する。
【００２７】
本発明の別の面では、制御器３１２はまたチャンネル統計を判定するために予測チャンネル評価器３１０からの予測チャンネル評価値の追加エネルギを利用する。例えば、本発明を含む移動局が静止または低速度で移動していると、チャンネル状態はその時間中は比較的安定である。逆に、本発明を含む移動局が比較的速い速度で移動していると、チャンネル状態はその時間中は一般的に非相関関係にあるだろう。
【００２８】
制御器３１２は、各対で固定の時間ずれ（ｆｉｘｅｄ  ｔｉｍｅ  ｏｆｆｓｅｔ）をもつ別時間対で予測チャンネル評価器３１０から出力された予測チャンネル評価値を標本化し、相関を判定するために対の標本の共役積をとる。標本が大きく相関していれば、チャンネル状態はその時間中は比較的安定であると推断する。２つの標本が相関していなければ、チャンネル状態は固定の時間ずれにより分離された標本化時間対の間で大きく変化していると推断する。トラフィック・チャンネルから再生された追加エネルギを用いることにより、制御器３１２は、パイロット・フィルタ２１６の出力だけを用いるよりチャンネル統計をもっと正確に判定することができる。
【００２９】
本発明の方法は図４に図示される。ブロック４０２でチャンネル評価が現在のパイロット信号から生成される。これは、例えば、図３のパイロット・フィルタ２１６により実行される。ブロック４０４で、トラフィック準拠チャンネル基準が再構成トラフィック情報ビットから生成される。これは再符号器３０２による再符号化、インターリーブ器３０４による再インターリーブ、および復調器３０５による復調を含む。ブロック４０６で、予測チャンネル評価値がトラフィック準拠チャンネル基準から生成される。これは、例えば、予測チャンネル評価器３１０により達成される。ブロック４０８で、受信トラフィック信号がブロック４０６からの予測チャンネル評価値とブロック４０２からのパイロット準拠チャンネル評価値を用いて共役乗算される。これは、例えば、ドット積回路２１２と共に制御器３１２により達成可能である。
【００３０】
本発明において、予測チャンネル評価値からの追加エネルギはチャンネル統計が所定の時間フレームに亘って相関しているかどうかを判定するのを補助するため制御器３１２によりまた使用される。予測チャンネル評価値内のこの追加エネルギは判定の精度を向上させる。しかしながら、チャンネル統計の評価は、整合復調における補助以外に予測チャンネル評価値から再生された追加信号エネルギについての追加応用の一つのみを示すものである。本発明の教示は、追加信号エネルギがチャンネル状態のもっと正確な判定を行うに有用である他の多くの応用に等しく適用可能である。
【００３１】
斯くして、本発明は整合復調に関するチャンネル状態を評価するためトラフィック準拠チャンネル基準を用いる方法および装置を提供する。その上、本発明は上述のように所定の時間期間に亘りチャンネル統計の相関の判定を補助するために使用が可能である。斯くして、本発明はパイロット信号エネルギが弱いか存在しないときチャンネル評価の精度を向上させる。
【００３２】
先述の好ましい実施例はこの技術分野に熟達する人が本発明を為しまたは使用を可能にするために提供される。これらの実施例に対する種々の変形はこの技術分野に熟達する者には直ちに明白であり、この中に定義された一般原理は発明能力を用いることなく他の実施例に適用可能である。斯くして、本発明はこの中に示された実施例に限定されると解釈されるものではなく、この中で開示された原理および新規な特徴と両立する広範な領域を認容すべきものである。
【図面の簡単な説明】
【図１】  ＣＤＭＡ基地局で使用される代表的な従来技術の順方向回線データ初期化装置（フォーマッタ）の機能ブロック図である。
【図２】  ＣＤＭＡ移動局で使用される代表的な従来技術のデータ復調器の機能ブロック図である。
【図３】  本発明の装置の典型的な機能ブロック図である。
【図４】  本発明の方法のフローチャートである。
【符号の説明】
２０２…受信機  ２０４…ＰＮ逆拡散器  ２０６…ＰＮ発生器  ２０８…ウォルシュ逆被包器  ２１０、２１４…ウォルシュ・チップ集計器  ２１２…ドット積回路  ２１６…パイロット・フィルタ  ２１８…逆インターリーブ器  ２２０…復号器  ２２２…ＣＲＣ検査器  ３０２…符号器  ３０４…インターリーブ器  ３０５…復調器  ３０６、３０７…遅延素子  ３０８…結合器  ３１０…予測チャンネル評価器  ３１２…制御器
【図１】
0004463432.tif 000002
【図２】
0004463432.tif 000003
【図３】
0004463432.tif 000004
【図４】
0004463432.tif 000005